(57)【要約】【課題】組替え操作が直観的であり、外観形状の変化が大きく、その変化に面白味があり、包装分野などでの利用のバリエーションが増える組合せカートンを提供すること。【解決手段】正ｎ角形（ｎ≧３）を中心点から各辺の中心に向けて放射状に延びる直線によりｎ個に分割することで形成される四角形を横断面形状とする四角柱で、正ｎ角形における各辺の中心に対応する側辺に接続手段を備えたｎ個の単位カートンＣからなる。ｎ個の単位カートンＣを全体の外観形状が正ｎ角柱となるように組み合わせることができ、その正ｎ角柱の状態から接続手段の一箇所を外して裏返しに組み直したり、或いは一列に並べたりすることにより、正ｎ角柱とは異なった外観形状を呈するようにできる。【選択図】図１
2015229526.tif 000002
【特許請求の範囲】
【請求項１】
正ｎ角形（ｎ≧３）を中心点から各辺の中心に向けて放射状に延びる直線によりｎ個に分割することで形成される四角形を横断面形状とする四角柱で、正ｎ角形における各辺の中心に対応する側辺に接続手段を備えたｎ個の単位カートンからなることを特徴とする組合せカートン。
【請求項２】
四角柱の単位カートンにおける胴部の上部を周回する破断線を設けたことを特徴とする請求項１に記載の組合せカートン。
【請求項３】
正ｎ角形（ｎ≧３）を中心点から各頂点に向けて放射状に延びる直線によりｎ個に分割することで形成される三角形を横断面形状とする三角柱で、正ｎ角形における各頂点に対応する側辺に接続手段を備えたｎ個の単位カートンからなることを特徴とする組合せカートン。
【請求項４】
三角柱の単位カートンにおける胴部の上部を周回する破断線を設けたことを特徴とする請求項３に記載の組合せカートン。
【発明の詳細な説明】
【技術分野】
【０００１】
本発明は、板紙やプラスチックシートなどからなるカートンの技術分野に属し、詳しくは、複数の単位カートンからなり、連結の仕方を変えることで外観の形状を変えることのできる組合せカートンに関するものである。
【背景技術】
【０００２】
従来、このような組合せカートンとして、特許文献１，２に記載のようなものが知られている。特許文献１に記載のものは、六面体状をなす四つの容器部を縦方向及び横方向に配列して連結できるようにしてあり、接続部分を境に一方側の容器部が他方側の容器部に対して回動するように構成されている。したがって、立体パズルのように操作することができるものである。
【０００３】
また、特許文献２に記載のものは、一枚のブランクから組み立てられ、４個の箱部が組換え可能に連接した形態になったものであり、各箱部の面に図柄の一部を印刷しておくことで、種々の図柄を楽しむことができ、少なくとも６種の組合せの図柄と直線状の図柄を含めれば１０種の組合せが可能である。
【先行技術文献】
【特許文献】
【０００４】
【特許文献１】特開２００７−２６１６３７号公報
【特許文献２】実開昭５９−１４１０１６号公報
【発明の概要】
【発明が解決しようとする課題】
【０００５】
上記した従来の組合せカートンは、パズルのようになっているので組替えの操作が複雑であるという問題点がある。また、いずれも六面体の単位カートンをパズル的に組み合わせたものであるので、の組合せ方を変えても外観はの組合せとなり、外観形状の変化という観点からすると面白味に乏しく、包装分野での利用の仕方にも制約がある。
【０００６】
本発明は、このような問題に鑑みてなされたものであり、その目的とするところは、組替え操作が直観的であり、外観形状の変化が大きく、その変化に面白味があり、包装分野などでの利用のバリエーションが増える組合せカートンを提供することにある。
【課題を解決するための手段】
【０００７】
上記の目的を達成するため、本発明に係る第１のタイプの組合せカートンは、正ｎ角形（ｎ≧３）を中心点から各辺の中心に向けて放射状に延びる直線によりｎ個に分割することで形成される四角形を横断面形状とする四角柱で、正ｎ角形における各辺の中心に対応する側辺に接続手段を備えたｎ個の単位カートンからなることを特徴とする。
【０００８】
そして、上記構成の組合せカートンにおいて、四角柱の単位カートンにおける胴部の上部を周回する破断線を設けた形態にすることができる。
【０００９】
また、同様の目的を達成するため、本発明に係る第２のタイプの組合せカートンは、正ｎ角形（ｎ≧３）を中心点から各頂点に向けて放射状に延びる直線によりｎ個に分割することで形成される三角形を横断面形状とする三角柱で、正ｎ角形における各頂点に対応する側辺に接続手段を備えたｎ個の単位カートンからなることを特徴とする。
【００１０】
そして、上記構成の組合せカートンにおいて、三角柱の単位カートンにおける胴部の上部を周回する破断線を設けた形態にすることができる。
【発明の効果】
【００１１】
本発明の組合せカートンは、ｎ個の単位カートンを接続手段により全体の外観形状が正ｎ角柱となるように連結することができ、その正ｎ角柱の状態から接続手段の一箇所を外して裏返しに組み直したり、或いは一列に並べたりすることにより、正ｎ角柱とは異なった外観形状を呈するようにできるので、外観形状が大きく変化し、その変化に面白味があることから、包装分野などにおいて新たな利用形態を展開することができる。また、単位カートンの側辺にある接続手段で次々と連結するようになっているので、組み直す操作が直観的であるため簡単に行うことができる。
【図面の簡単な説明】
【００１２】
【図１】本発明に係る第１のタイプの組合せカートンの一例を示す斜視図である。
【図２】図１の組合せカートンを構成する単位カートンの斜視図である。
【図３】図２の単位カートンを組み立てるブランクの展開図である。
【図４】図１の組合せカートンを連結の仕方を変えた状態で示す斜視図である。
【図５】図１の組合せカートンを連結の仕方を変えた状態で示す斜視図である。
【図６】図１と図５に示した組合せカートンを平面的な配置で示す説明図である。
【図７】図１の組合せカートンの変形例を平面的な配置で示す説明図である。
【図８】図１の組合せカートンの変形例を示平面的な配置です説明図である。
【図９】図１の組合せカートンの変形例を平面的な配置で示す説明図である。
【図１０】図１の組合せカートンの変形例を平面的な配置で示す説明図である。
【図１１】本発明に係る第２のタイプの組合せカートンを平面的な配置で示す説明図である。
【図１２】図１１の組合せカートンの変形例を平面的な配置で示す説明図である。
【図１３】図１１の組合せカートンの変形例を平面的な配置で示す説明図である。
【図１４】図１１の組合せカートンの変形例を平面的な配置で示す説明図である。
【図１５】図１１の組合せカートンの変形例を平面的な配置で示す説明図である。
【発明を実施するための形態】
【００１３】
次に、本発明の実施形態について図面を参照しながら詳細に説明する。
【００１４】
「第１のタイプの組合せカートン」
このタイプの組合せカートンは、正ｎ角形（ｎ≧３）を中心点から各辺の中心に向けて放射状に延びる直線によりｎ個に分割することで形成される四角形を横断面形状とする四角柱で、正ｎ角形における各辺の中心に対応する側辺に接続手段を備えたｎ個の単位カートンからなる。
【００１５】
図１は第１のタイプの組合せカートンの一例を示すもので、この組合せカートンは、図２の単位カートンＣを５個連結したものであり、図示のように全体の外観形状が正五角柱になっている。そして、個々の単位カートンＣは図３にその展開図を示すブランクを組み立てて形成されている。
【００１６】
図３のブランクは、板紙を打ち抜いて形成されたものであり、図示のように、縦方向の折線ａ，ｂ，ｃを介して第１側面パネル１、第２側面パネル２、第３側面パネル３、第４側面パネル４がこの順で連設され、第４側面パネル４に折線ｄを介して糊代片５が連設されている。ここで、第１側面パネル１、第２側面パネル２、第３側面パネル３及び第４側面パネル４の横幅は、次のようにして決められている。
【００１７】
図１の組合せカートンにおける天面を見れば分かるように、正五角形を中心点から各辺の中心に向けて放射状に延びる直線により５個の四角形に分割する。この四角形は、２本の短辺と２本の長辺とからなるが、ブランクにおける第１側面パネル１と第２側面パネル２の横幅はその短辺に対応し、第３側面パネル３と第４側面パネル４の横幅はその長辺に対応するようにそれぞれ長さが決められている。
【００１８】
そして、第１側面パネル１と第２側面パネル２には、その上辺にそれぞれ折線ｅ，ｆを介して折込みフラップ６，７が連設され、第３側面パネル３の上辺には折線ｇを介して天面パネル８が連設され、第４側面パネル４の上辺には折線ｈを介して折込みフラップ９が連設されている。また、第１側面パネル１と第２側面パネル２には、その下辺にそれぞれ折線ｉ，ｊを介して折込みフラップ１０，１１が連設され、第３側面パネル３の下辺には折線ｋを介して底面パネル１２が連設され、第４側面パネル４の下辺には折線ｌを介して折込みフラップ１３が連設されている。
【００１９】
第３側面パネル３の上辺に連設する天面パネル８は、前述の四角形に対応した形状で、その折線ｇの対向辺に突出片８ａを有しており、第１側面パネル１と折込みフラップ６の境界にある折線ｅには、組立時に突出片８ａを係合させるためのスリット６ｘが形成されている。また、第３側面パネル３の下辺に連設する底面パネル１２も、前述の四角形に対応した形状で、その折線ｋの対向辺と隣接辺とにそれぞれ突出片１２ａ，１２ｂを有しており、第１側面パネル１と折込みフラップ１０の境界にある折線ｉには、組立時に突出片１２ａを係合させるためのスリット１０ｘが形成され、第４側面パネル４と折込みフラップ１３の境界にある折線ｌには、組立時に突出片１２ｂを係合させるためのスリット１３ｘが形成されている。
【００２０】
そして、第１側面パネル１には、その端縁における上下２箇所に図示の如く突出片１ａ，１ｂが設けられており、第２側面パネル２と第３側面パネル３の境界にある折線ｂには、これら突出片１ａ，１ｂに対応する位置にスリット２ｘ，２ｙが形成されている。
【００２１】
図３のブランクには、カートンとして組み立てた時に、必要に応じて胴部の上部を分離して取り除くための破断線αが設けられている。すなわち、図示のように破断線αは、第１側面パネル１、第２側面パネル２、第３側面パネル３、第３側面パネル４及び糊代片５に渡ってその上部を横断するように設けられており、第１側面パネル１の端縁に設けられた凸部１ｔのところが破断開始部分となっている。
【００２２】
図３のブランクを組み立てて図２に示す単位カートンＣを形成するが、その手順は通常のカートンと同様である。まず、ブランクを折線ａ，ｃのところで折り畳み、糊代片５を第１側面パネル１の裏面に糊付けしてサック貼り状態とする。そして、この折り畳んだブランクを起こして角筒状の胴部を形成してから、下側の折込みフラップ１０，１１，１３を内側に折り曲げ、その上から底面パネル１２を折り曲げて、突出片１２ａ，１２ｂをスリット１０ｘ，１３ｘに差し込むことで底面部を形成する。そして、胴部に商品を投入した後、上側の折込みフラップ６，７，９を内側に折り曲げ、その上から天面パネル８を折り曲げて、突出片８ａをスリット６ｘに差し込むことで天面部を形成する。これにより図２の単位カートンＣが形成される。
【００２３】
この四角柱の単位カートンＣを５個連結して図１の組合せカートンを形成する。単位カートンＣには、五角形の短辺と長辺の境界に相当する一方の側辺に突出片１ａ，１ｂがあり、他方の側辺にスリット２ｘ，２ｙがある。すなわち、突出片１ａ，１ｂとスリット２ｘ，２ｙが単位カートンＣ同士を連結するための接続手段を構成している。したがって、５個の単位カートンＣを、突出片１ａ，１ｂとスリット２ｘ，２ｙにより次々に連結することで、図１のように全体の外観形状が正五角柱となるように連結することができる。そして、その正五角柱の状態から接続手段の一箇所を外して単位カートンＣを裏返しに組み直すことにより、図４に示すような星型に連結することができる。また、図５に示すような一列に並んだ状態に連結することもできる。
【００２４】
単位カートンＣには、胴部の上部を周回する破断線αが設けられているので、第１側面パネル１の端縁に突出した凸部１ｔから破断を開始して胴部の上部を取り除くことができる。したがって、内容物を取り出す際には、天面パネル８を開けるほかに、胴部の上部を取り除いた状態にすることができる。したがって、必要個数の単位カートンＣの上部を開けた状態で、図１や図４、或いは図５に示すような接続状態とすることができる。
【００２５】
図６は図１と図５に示した組合せカートンを平面的な配置で示す説明図である。単位カートンＣは、正五角形を中心点から各辺の中心に向けて放射状に延びる直線により５個に分割することで形成される四角形を横断面形状とする四角柱であり、正五角形における各辺の中心に対応する側辺に、突出片とスリットとからなる接続手段Ｒを備えている。そして、組合せカートンは、５個の単位カートンＣを接続手段Ｒにより次々に連結して、図６（ａ）のように全体の外観形状が正五角柱となるように組み合わせたものである。あるいは、図６（ｂ）のように裏返しに組み合わせたり、図示はしないが一列状態に並べた状態とすることもできる。
【００２６】
本発明に係る第１のタイプの組合せカートンは、上記の実施形態のような５個の単位カートンＣを組み合わせる形態のほか、３個、４個、６個、８個等の単位カートンを組み合わせる形態を採ることができる。以下、図６に対応する説明図により、これらの組合せカートンについて説明する。なお、それぞれの単位カートンには、必要に応じて胴部の上部を分離して取り除くために、胴部の上部を周回する破断線を設けてもよい。
【００２７】
図７の組合せカートンは、単位カートンＣを３個組み合わせたものである。単位カートンＣは、正三角形を中心点から各辺の中心に向けて放射状に延びる直線により３個に分割することで形成される四角形を横断面形状とする四角柱であり、正三角形における各辺の中心に対応する側辺に接続手段Ｒを備えている。そして、組合せカートンは、３個の単位カートンＣを接続手段Ｒにより次々に連結して、図７（ａ）のように全体の外観形状が正三角柱となるように組み合わせたものである。あるいは、図７（ｂ）のように裏返しに組み合わせたり、図示はしないが一列状態に並べた状態とすることもできる。
【００２８】
図８の組合せカートンは、４個の単位カートンＣを組み合わせたものである。単位カートンＣは、正四角形を中心点から各辺の中心に向けて放射状に延びる直線により４個に分割することで形成される四角形を横断面形状とする四角柱であり、正四角形における各辺の中心に対応する側辺に接続手段Ｒを備えている。そして、組合せカートンは、４個の単位カートンＣを接続手段Ｒにより次々に連結して、図８（ａ）のように全体の外観形状が正四角柱となるように組み合わせたものである。あるいは、図８（ｂ）のように裏返しに組み合わせたり、図示はしないが一列状態に並べた状態とすることもできる。
【００２９】
図９の組合せカートンは、６個の単位カートンＣを組み合わせたものである。単位カートンＣは、正六角形を中心点から各辺の中心に向けて放射状に延びる直線により６個に分割することで形成される四角形を横断面形状とする四角柱であり、正六角形における各辺の中心に対応する側辺に接続手段Ｒを備えている。そして、組合せカートンは、６個の単位カートンＣを接続手段Ｒにより次々に連結して、図９（ａ）のように全体の外観形状が正六角柱となるように組み合わせたものである。あるいは、図９（ｂ）のように裏返しに組み合わせたり、図示はしないが一列状態に並べた状態とすることもできる。
【００３０】
図１０の組合せカートンは、８個の単位カートンＣを組み合わせたものである。単位カートンＣは、正六角形を中心点から各辺の中心に向けて放射状に延びる直線により８個に分割することで形成される四角形を横断面形状とする四角柱であり、正八角形における各辺の中心に対応する側辺に接続手段Ｒを備えている。そして、組合せカートンは、８個の単位カートンＣを接続手段Ｒにより次々に連結して、図１０（ａ）のように全体の外観形状が正八角柱となるように組み合わせたものである。あるいは、図１０（ｂ）のように裏返しに配置したり、図示はしないが一列状態に並べた状態とすることもできる。
【００３１】
なお、ここでは７個の単位カートンからなる組合せカートンについては説明を省略している。組み合わせる単位カートンの個数には限界があるが、単位カートンが容器としての機能を果たすのであれば、９個以上の単位カートンを組み合わせた形態とすることも可能である。
【００３２】
「第２のタイプの組合せカートン」
このタイプの組合せカートンは、正ｎ角形（ｎ≧３）を中心点から各頂点に向けて放射状に延びる直線によりｎ個に分割することで形成される三角形を横断面形状とする三角柱で、正ｎ角形における各頂点に対応する側辺に接続手段を備えたｎ個の単位カートンからなる。このタイプの組合せカートンにおいても、接続手段は、前記したような突出片とスリットの組合せで構成することができる。
【００３３】
組合せカートンを平面的な配置で示す説明図により、この第２のタイプの組合せカートンについて以下に説明する。なお、それぞれの単位カートンには、必要に応じて胴部の上部を分離して取り除くために、胴部の上部を周回する破断線を設けてもよい。
【００３４】
図１１の組合せカートンは、単位カートンＣを３個組み合わせたものである。単位カートンＣは、正三角形を中心点から各頂点に向けて放射状に延びる直線により３個に分割することで形成される三角形を横断面形状とする三角柱であり、正三角形における各頂点に対応する側辺に接続手段Ｒを備えている。そして、組合せカートンは、３個の単位カートンＣを接続手段Ｒにより次々に連結して、図１１（ａ）のように全体の外観形状が正三角柱となるように組み合わせたものである。あるいは、図１１（ｂ）のように裏返しに配置したり、図示はしないが一列状態に並べた状態とすることもできる。
【００３５】
図１２の組合せカートンは、単位カートンＣを４個組み合わせたものである。単位カートンＣは、正四角形を中心点から各頂点に向けて放射状に延びる直線により４個に分割することで形成される三角形を横断面形状とする三角柱であり、正四角形における各頂点に対応する側辺に接続手段Ｒを備えている。そして、組合せカートンは、４個の単位カートンＣを接続手段Ｒにより次々に連結して、図１２（ａ）のように全体の外観形状が正四角柱となるように組み合わせたものである。あるいは、図１２（ｂ）のように裏返しに配置したり、図示はしないが一列状態に並べた状態とすることもできる。
【００３６】
図１３の組合せカートンは、単位カートンＣを５個組み合わせたものである。単位カートンＣは、正五角形を中心点から各頂点に向けて放射状に延びる直線により５個に分割することで形成される三角形を横断面形状とする三角柱であり、正五角形における各頂点に対応する側辺に接続手段Ｒを備えている。そして、組合せカートンは、５個の単位カートンＣを接続手段Ｒにより次々に連結して、図１３（ａ）のように全体の外観形状が正五角柱となるように組み合わせたものである。あるいは、図１３（ｂ）のように裏返しに配置したり、図示はしないが一列状態に並べた状態とすることもできる。
【００３７】
図１４の組合せカートンは、単位カートンＣを６個組み合わせたものである。単位カートンＣは、正六角形を中心点から各頂点に向けて放射状に延びる直線により６個に分割することで形成される三角形を横断面形状とする三角柱であり、正六角形における各頂点に対応する側辺に接続手段Ｒを備えている。そして、組合せカートンは、６個の単位カートンＣを接続手段Ｒにより次々に連結して、図１４（ａ）のように全体の外観形状が正六角柱となるように組み合わせたものである。あるいは、図１４（ｂ）のように裏返しに配置したり、図示はしないが一列状態に並べた状態とすることもできる。
【００３８】
図１５の組合せカートンは、単位カートンＣを８個組み合わせたものである。単位カートンＣは、正八角形を中心点から各頂点に向けて放射状に延びる直線により８個に分割することで形成される三角形を横断面形状とする三角柱であり、正八角形における各頂点に対応する側辺に接続手段Ｒを備えている。そして、組合せカートンは、８個の単位カートンＣを接続手段Ｒにより次々に連結して、図１５（ａ）のように全体の外観形状が正八角柱となるように組み合わせたものである。あるいは、図１５（ｂ）のように裏返しに配置したり、図示はしないが一列状態に並べた状態とすることもできる。
【００３９】
なお、ここでは７個の単位カートンからなる組合せカートンについては説明を省略している。この第２のタイプの組合せカートンを構成する単位カートンについてもその個数には限界があるが、単位カートンが容器としての機能を果たすのであれば、９個以上の単位カートンを組み合わせた形態とすることも可能である。
【００４０】
以上、本発明の実施の形態について、詳細に説明してきたが、本発明による組合せカートンは、上記実施の形態に何ら限定されるものではなく、本発明の趣旨を逸脱しない範囲において種々の変更が可能である。
【００４１】
例えば、上記の例では、単位カートン同士を連結する接続手段として、突出片とスリットの組合せによる接続手段を設けているが、取外しが可能でありさえすれば、任意の接続手段を採るようにしてもよいことは勿論である。
【符号の説明】
【００４２】
１  第１側面パネル
１ａ，１ｂ  突出片
１ｔ  凸部
２  第２側面パネル
２ｘ，２ｙ  スリット
３  第３側面パネル
４  第４側面パネル
５  糊代片
６  折込みフラップ
６ｘ  スリット
７  折込みフラップ
８  天面パネル
８ａ  突出片
９  折込みフラップ
１０  折込みフラップ
１０ｘ  スリット
１１  折込みフラップ
１２  底面パネル
１２ａ，１２ｂ  突出片
１３  折込みフラップ
１３ｘ  スリット
Ｃ  単位カートン
Ｒ  接続手段
ａ〜ｌ  折り線
α  破断線
【図１】
2015229526.tif 000003
【図２】
2015229526.tif 000004
【図３】
2015229526.tif 000005
【図４】
2015229526.tif 000006
【図５】
2015229526.tif 000007
【図６】
2015229526.tif 000008
【図７】
2015229526.tif 000009
【図８】
2015229526.tif 000010
【図９】
2015229526.tif 000011
【図１０】
2015229526.tif 000012
【図１１】
2015229526.tif 000013
【図１２】
2015229526.tif 000014
【図１３】
2015229526.tif 000015
【図１４】
2015229526.tif 000016
【図１５】
2015229526.tif 000017